(57)【要約】【課題】美容器全体のデザインを特定の構成に制約されることなく、自在に設定することができる美容器を提供する。【解決手段】半割状の第１及び第２ハンドル片１４，１５をそれらの開口部において接合したハンドル１２を設ける。第１ハンドル片１４の透孔１４ａには一対のシャフト２４を貫通してハンドル１２内のシャフトホルダ２０に支持し、それらの自由端側が開くように傾斜状態に配置する。各シャフト２４の自由端部には、ボール２９を回転可能に支持する。各シャフト２４は第１及び第２ハンドル片１４，１５の組み付け状態で、第１ハンドル片１４の透孔１４ａからハンドル１２内に挿入して、シャフトホルダ２０に固定する。【選択図】図４
2018089521.tif 000002
【特許請求の範囲】
【請求項１】
第１ハンドル片及び第２ハンドル片からなるとともに、上記第１ハンドル片と上記第２ハンドル片との間に空間が形成されるように上記第１ハンドル片が凹状をなしているハンドルと、
上記ハンドルを平面視したときの長手方向の中央位置よりも第１の端部側において上記第１ハンドル片に設けられた一対の透孔と、
上記一対の透孔をそれぞれ貫通して上記ハンドルの内部における上記凹状をなす上記第１ハンドル片の内側で固定されているとともに、上記ハンドルを平面視したときの長手方向において上記第１の端部と反対側の第２の端部から上記第１の端部に向かう方向を上方向として、自由端側が上記固定された端部側よりも上方に位置し、かつ自由端側が開くように傾斜された一対のシャフトと、
それらのシャフトの自由端部を覆うとともに、該自由端部にそれぞれ軸受部材を介して回転可能に支持された回転体とを備えている、美容器。
【発明の詳細な説明】
【技術分野】
【０００１】
この発明は、一対の回転体を身体上で転動させることにより、美肌作用等の美容作用を付与するようにした美容器に関するものである。
【背景技術】
【０００２】
従来、この種の美容器としては、例えば特許文献１に開示されるような構成が提案されている。この従来構成の美容器においては、ハンドルの先端に二叉部が設けられている。二叉部には一対のシャフトが自由端側ほど開くように傾斜状態で突出固定され、各シャフトには回転体が回転可能に支持されている。そして、各回転体を身体の皮膚に押し付けて美容器を肌に沿って移動させると、その移動にともなって回転体が回転されて、身体に対して美肌作用等の美容作用が付与されるようになっている。
【先行技術文献】
【特許文献】
【０００３】
【特許文献１】特開２０１１−１５８７４号公報
【発明の概要】
【発明が解決しようとする課題】
【０００４】
この従来の美容器においては、ハンドルが、内部のベース体と、そのベース体の外面を被覆するように二叉部を含んで半割状に形成された一対のハンドル片とより構成されている。そして、回転体を支持するための一対のシャフトがハンドル片のパーティング部において二叉部から突出するようにベース体に固定され、この状態でベース体の外面に一対のハンドル片が被覆装着されている。このため、ハンドルに二叉部を形成して、その二叉部においてパーティング部に挟んで突設した一対のシャフトに対して回転体を回転可能に支持するという構成であって、その構成に美容器全体のデザインが制約され、デザイン上の自由度が乏しい。
【０００５】
この発明は、このような従来の技術に存在する問題点に着目してなされたものである。その目的は、美容器全体のデザインを特定の構成に制約されることなく、自在に設定することができるとともに、組付けが容易な美容器を提供することにある。
【課題を解決するための手段】
【０００６】
上記目的を達成するために、この発明は、第１ハンドル片及び第２ハンドル片からなるとともに、上記第１ハンドル片と上記第２ハンドル片との間に空間が形成されるように上記第１ハンドル片が凹状をなしているハンドルと、上記ハンドルを平面視したときの長手方向の中央位置よりも第１の端部側において上記第１ハンドル片に設けられた一対の透孔と、上記一対の透孔をそれぞれ貫通して上記ハンドルの内部における上記凹状をなす上記第１ハンドル片の内側で固定されているとともに、上記ハンドルを平面視したときの長手方向において上記第１の端部と反対側の第２の端部から上記第１の端部に向かう方向を上方向として、自由端側が上記固定された端部側よりも上方に位置し、かつ自由端側が開くように傾斜された一対のシャフトと、それらのシャフトの自由端部を覆うとともに、該自由端部にそれぞれ軸受部材を介して回転可能に支持された回転体とを備えていることを特徴としている。
【０００７】
従って、この発明の美容器においては、第１及び第２ハンドル片を組み付けた後、一対のシャフトを第１ハンドル片の透孔からハンドル内に挿入して、斜め上向きに、かつ自由端側が開くように傾斜した状態でハンドルの内部に固定することができる。よって、美容器全体のデザインを、従来構成とは異なり、ハンドルに二叉部を形成して、その二叉部に突設した一対のシャフトに回転体を回転可能に支持するというような特定の構成に制約されることなく、自在に設定することができる。
【０００８】
前記の構成において、前記ハンドル内にシャフトホルダを備え、前記シャフトホルダには前記第１ハンドル片の透孔に対向する雌ネジ部材を回転不能に保持し、前記シャフトを前記透孔に貫通させるとともに、その貫通端部に形成された雄ネジ部を前記雌ネジ部材に螺合させるとよい。
【０００９】
前記の構成において、前記雌ネジ部材には、雄ネジ部との螺合が弛まないようにするための弛み止めを設けるとよい。
前記の構成において、前記シャフトホルダには一部に開放部を有する保持室を形成し、前記雌ネジ部材を開放部から保持室内に挿入して保持するとよい。
【００１０】
前記の構成において、前記シャフトには、前記第１ハンドル片の外側面に係合して第１ハンドル片を第２ハンドル片に対して接合状態に保持するためのカラーを設けるとよい。
前記の構成において、前記カラーを、電気絶縁性を有する材料によって形成するとよい。
【００１１】
前記の構成において、前記第１ハンドル片の透孔の周側外面に凹部を形成し、前記回転体はボールであって、そのボールを凹部内に位置させるとよい。
【発明の効果】
【００１２】
以上のように、この発明によれば、美容器全体のデザインを特定の構成に制約されることなく、自在に設定することができるという効果を発揮する。
【図面の簡単な説明】
【００１３】
【図１】一実施形態の美容器を示す正面図。
【図２】図１の美容器の側面図。
【図３】図１の３−３線における部分断面図。
【図４】図１の４−４線における拡大断面図。
【図５】図４の一部を拡大して示す部分断面図。
【図６】図１の美容器におけるハンドルのベース体を拡大して示す部分背面図。
【図７】同美容器におけるシャフトホルダを示す背面図。
【図８】図７の８−８線における断面図。
【発明を実施するための形態】
【００１４】
以下に、この発明を具体化した美容器の一実施形態を図面に従って説明する。
図１及び図２に示すように、この実施形態の美容器１１は、正面形ほぼ銀杏葉状のハンドル１２を備えている。図３に示すように、このハンドル１２は、合成樹脂よりなるベース体１３と、そのベース体１３の外周に被覆装着された半割状の第１及び第２ハンドル片１４，１５とより構成されている。このベース体１３及び第１及び第２ハンドル片１４，１５は合成樹脂により形成され、第１及び第２ハンドル片１４，１５の外表面には導電部としての金属メッキが施されている。図４に示すように、第１ハンドル片１４及びベース体１３の基端部には、後述するシャフト２４を貫通させるための各一対の透孔１４ａ，１３ａが形成されている。
【００１５】
第１ハンドル片１４の各透孔１４ａの周囲には、球面状の凹部１４ｂが形成されている。
図３に示すように、前記第２ハンドル片１５は、複数のネジ１６によりベース体１３に固定されている。第１ハンドル片１４の先端内縁には係止凸部１７が形成されるとともに、第２ハンドル片１５の先端内縁には係止凸部１７に係合可能な係止凹部１８が形成されている。そして、係止凸部１７が係止凹部１８に係合された状態で、その係合部を中心にして第２ハンドル片１５が第１ハンドル片１４側に回動されることにより、両ハンドル片１４，１５の開口部が互いに接合されて、両ハンドル片１４，１５がハンドル１２を構成する。
【００１６】
図２〜図５に示すように、前記ベース体１３の外周縁全体には、リング状のパッキン１９が一体的に形成されている。パッキン１９の外周には、第２ハンドル片１５の開口内周縁に係合可能なリップ部１９ａが形成されている。そして、ベース体１３に対するハンドル片１４，１５の被覆装着状態で、このパッキン１９のリップ部１９ａが第２ハンドル片１５の開口内周縁に圧接係合されるとともに、リップ部１９ａ以外の本体部分が第２ハンドル片１５及びベース体１３に圧接されることにより、ハンドル１２の内部への水の侵入が抑止されるようになっている。
【００１７】
図４〜図６に示すように、前記ベース体１３の基端内面には、合成樹脂よりなるとともに、外周面に金属メッキを施したシャフトホルダ２０が複数のネジ２１により取り付けられている。図７及び図８に示すように、シャフトホルダ２０の両側には、第１ハンドル片１４及びベース体１３の透孔１４ａ，１３ａに対向する一対の保持室２２が形成されている。各保持室２２の側部には開放部２２ａが形成されるとともに、内部にはほぼ六角形の半部（２分の１）形状の保持面２２ｂが形成されている。シャフトホルダ２０の各保持室２２内には、一対の金属製の雌ネジ部材２３が保持室２２の開放部２２ａから挿入されて保持面２２ｂにおいて回転不能に回り止め状態で保持されている。
【００１８】
図４及び図５に示すように、前記第１ハンドル片１４及びベース体１３の透孔１４ａ，１３ａには、金属材料よりなる一対のシャフト２４が貫通されている。各シャフト２４の透孔１４ａ，１３ａ側の内端部，すなわち貫通端部には、シャフトホルダ２０の保持室２２内の雌ネジ部材２３に螺合可能な雄ネジ部２４ａが形成されている。各シャフト２４の中間部には、大径段差状のカラー支持部２４ｂ及びカラー押さえ部２４ｃが形成されている。各シャフト２４の外端部には、小径状のボール支持部２４ｄが形成されている。
【００１９】
そして、前記第１及び第２ハンドル片１４，１５の組み付け状態で、両シャフト２４が第１ハンドル片１４の外側から第１ハンドル片１４及びベース体１３の透孔１４ａ，１３ａに挿入されて、それらの雄ネジ部２４ａが雌ネジ部材２３に螺合されている。これにより、両シャフト２４がシャフトホルダ２０に対して固定されて、上向きの傾斜状態で、かつ自由端側ほど開いた傾斜状態をなすとともに、カラー支持部２４ｂ、カラー押さえ部２４ｃ及びボール支持部２４ｄを第１ハンドル片１４の外側に突出させた状態に配置されている。
【００２０】
図５及び図６に示すように、前記各雌ネジ部材２３の先端内周には、断面六角形状の凹部２３ａが形成されている。雌ネジ部材２３の凹部２３ａ内には、合成樹脂よりなる断面六角形状の弛み止め部材２５が回転不能に収容保持されている。そして、シャフト２４の雄ネジ部２４ａが雌ネジ部材２３に螺合されるとき、その雄ネジ部２４ａが弛み止め部材２５の内周にネジ溝を螺設しながら貫通される。これにより、雄ネジ部２４ａが雌ネジ部材２３に対する螺合状態で弛み止めされるようになっている。
【００２１】
図４、図５及び図６に示すように、前記各シャフト２４のカラー支持部２４ｂには、カラー２６が嵌挿支持されている。このカラー２６は、電気絶縁性を有する合成樹脂材料やセラミック材料により形成されている。カラー２６の外周面には、第１ハンドル片１４の透孔１４ａの外端周縁に係合可能な段差部２６ａが形成されている。そして、シャフト２４が第１ハンドル片１４及びベース体１３の透孔１４ａ，１３ａに挿入されて、その雄ネジ部２４ａがシャフトホルダ２０上の雌ネジ部材２３に螺合されたとき、シャフト２４のカラー押さえ部２４ｃによりカラー２６が第１ハンドル片１４の透孔１４ａ側に向かって押し付けられる。これにより、カラー２６上の段差部２６ａが透孔１４ａの周縁に押圧されて、第１ハンドル片１４が第２ハンドル片１５に対して接合状態に保持されるとともに、第１ハンドル片１４の金属メッキとシャフト２４との間の電気絶縁を確保するようになっている。
【００２２】
図１〜図４に示すように、前記各シャフト２４のボール支持部２４ｄには、合成樹脂よりなる軸受け部材２７が嵌合されて、クッションスペーサ２８ａを介してストップリング２８により抜け止め固定されている。各軸受け部材２７の外周には、一対の弾性変形可能な係止爪２７ａが突設されている。前記第１ハンドル片１４における透孔１４ａの周側外面の凹部１４ｂ内に位置するように、各シャフト２４上の軸受け部材２７には、回転体としてのほぼ球体状をなす一対のボール２９が回転可能に支持されている。このボール２９は前記クッションスペーサ２８ａによってガタ付きが防止されている。
【００２３】
図４に示すように、前記各ボール２９は、合成樹脂よりなる芯材３０と、その芯材３０の先端内周に嵌着された別の合成樹脂よりなるキャップ材３１と、芯材３０及びキャップ材３１の外周に被覆成形された別の合成樹脂よりなる外被材３２とより構成されている。外被材３２の外表面には、導電部としての金属メッキが施されている。芯材３０の内周には、軸受け部材２７の係止爪２７ａに係合可能な段差部３０ａが形成されている。そして、ボール２９が軸受け部材２７に嵌挿された状態で、係止爪２７ａが段差部３０ａに係合されることにより、ボール２９が軸受け部材２７に対して抜け止め保持されている。この状態では、ハンドル１２の金属メッキとボール２９の外表面の金属メッキとは電気絶縁状態に維持されている。
【００２４】
図１に示すように、前記ハンドル１２の基端部付近において第２ハンドル片１５上には、貫通孔３３が形成されている。貫通孔３３内には、透明な合成樹脂よりなる受光レンズ３４が嵌着されている。受光レンズ３４の下方においてハンドル１２のベース体１３上には太陽電池パネル３５が配置され、その出力端子がハンドル１２及びボール２９の外表面の金属メッキにそれぞれ接続されている。
【００２５】
そして、この美容器１１は以下のように作用する。すなわち、ハンドル１２を把持した状態で、両ボール２９を身体の皮膚に押し付けて回転させることにより、両ボール２９の回転にともなって皮膚及びその下部組織がボール２９間につまみ上げられたり、ボール２９によって押圧されたりする。このようにして、身体に対してマッサージ効果が作用し、美肌作用等の美容作用が付与される。このとき、前記太陽電池パネル３５で発電された電力がハンドル１２及びボール２９の金属メッキに供給される。このため、ハンドル１２の金属メッキとボール２９の金属メッキとの間に身体を介在させた電路が形成されて、身体に微電流が流れて、身体への電気的刺激により美容的効果がさらに高められる。
【００２６】
次に、前記のように構成された美容器１１の組み付け方法について説明する。
この美容器１１の組み付けに際しては、まずシャフトホルダ２０の両保持室２２内に雌ネジ部材２３を挿入した状態で、そのシャフトホルダ２０を複数のネジ２１によりハンドル１２のベース体１３の内面に取り付ける。太陽電池パネル３５及び受光レンズ３４はベース体１３上にあらかじめ取り付けられる。次に、第２ハンドル片１５を複数のネジ１６によりベース体１３に固定するとともに、第１ハンドル片１４を第２ハンドル片１５に対して係止凸部１７と係止凹部１８との係合を介して接合配置する。
【００２７】
続いて、一対のシャフト２４のカラー支持部２４ｂにカラー２６を外嵌した状態で、それらのシャフト２４を第１ハンドル片１４の外側から第１ハンドル片１４及びベース体１３の透孔１４ａ，１３ａに通して、その内端の雄ネジ部２４ａをシャフトホルダ２０上の雌ネジ部材２３に螺合させる。これにより、両シャフト２４がシャフトホルダ２０に対して、斜め上向きで、かつ自由端側ほど開いた傾斜状態をなすように固定される。それとともに、カラー２６上の段差部２６ａにより、第１ハンドル片１４の透孔１４ａの周縁部が押圧されて、第１ハンドル片１４が第２ハンドル片１５に対して接合状態に保持される。
【００２８】
その後、各シャフト２４のボール支持部２４ｄに軸受け部材２７を嵌合するとともに、その軸受け部材２７上にボール２９を回転可能に支持すれば、美容器１１の組み付けが完了する。
【００２９】
従って、この実施形態によれば、以下のような効果を得ることができる。
（１）この美容器においては、ハンドル１２の第１ハンドル片１４の透孔１４ａを介して、ハンドル１２内のシャフトホルダ２０に支持された一対のシャフト２４が、それらの自由端側ほど開くように傾斜状態に配置されている。そして、各シャフト２４は第１及び第２ハンドル片１４，１５の組み付け状態で、第１ハンドル片１４の透孔１４ａからハンドル１２内に挿入されて、シャフトホルダ２０に固定されている。
【００３０】
このため、ハンドル１２の第１及び第２ハンドル片１４，１５を組み付けた後、一対のシャフト２４を第１ハンドル片１４の透孔１４ａからハンドル１２内に挿入して、自由端側が開くように傾斜した状態でシャフトホルダ２０に固定することができる。言い換えれば、シャフト２４を透孔１４ａからシャフトホルダ２０の雌ネジ部材２３に螺合するのみでよく、シャフト２４をハンドル１２のパーティング部から突設したりする必要はない。よって、美容器全体のデザインを、従来構成とは異なり、ハンドルに二叉部を形成して、その二叉部に突設した一対のシャフトに回転体を回転可能に支持するというような特定の構成に制約されることなく、自在に設定することができる。
【００３１】
（２）この美容器においては、前記シャフトホルダ２０に前記第１ハンドル片１４の透孔１４ａと対向する雌ネジ部材２３が回転不能に保持され、前記シャフト２４が前記透孔１４ａに貫通されて、その貫通端部に形成された雄ネジ部２４ａが前記雌ネジ部材２３に螺合されている。このため、シャフト２４を第１ハンドル片１４の透孔１４ａに貫通させて、雌ネジ部材２３に螺合させるのみでよく、シャフト２４をシャフトホルダ２０に対して容易に組み付け固定することができる。
【００３２】
（３）この美容器においては、前記雌ネジ部材２３に、雄ネジ部２４ａとの螺合が弛まないようにするための弛み止め部材２５が設けられている。このため、シャフト２４の雄ネジ部２４ａがシャフトホルダ２０上の雌ネジ部材２３に螺合された状態で、弛みが生じるおそれを防止することができる。
【００３３】
（４）この美容器においては、前記シャフトホルダ２０に開放部２２ａを有する保持室２２が形成され、前記雌ネジ部材２３が開放部２２ａから保持室２２内に挿入されて保持されるようになっている。このため、雌ネジ部材２３をシャフトホルダ２０に対して容易に取り付けることができる。
【００３４】
（５）この美容器においては、前記シャフト２４に、前記第１ハンドル片１４の外側面に係合して第１ハンドル片１４を第２ハンドル片１５に対して接合状態に保持するためのカラー２６が設けられている。このため、シャフト２４を第１ハンドル片１４の透孔１４ａからハンドル１２内に挿入してシャフトホルダ２０に固定することにより、カラー２６を介して第１ハンドル片１４を第２ハンドル片１５に対する接合状態に保持することができる。従って、カラー２６が両ハンドル片１４，１５の固定機能を兼用するため、ネジ等の固定部材を減らして、構成を簡素化できるとともに、組み付けの容易化を図ることができる。
【００３５】
（６）この美容器においては、前記カラー２６が、電気絶縁性を有する材料によって形成されている。このため、カラー２６により第１ハンドル片１４とシャフト２４との間の絶縁を確保することができる。従って、使用者がハンドル１２を把持してボール２９を身体の皮膚に接触させたとき、ハンドル１２内の太陽電池からハンドル１２とボール２９との間における皮膚を含む身体に微電流が流れ、美容効果を高めることができる。
【００３６】
（７）この美容器においては、前記第１ハンドル片１４の透孔１４ａの周囲に凹部１４ｂが形成され、前記ボール２９が凹部１４ｂ内に位置するように構成されている。このため、各シャフト２４が外部に露出することを抑制することができるとともに、一対のボール２９がハンドル１２と一体化された感覚の斬新なデザインを提供することができるとともに、全体の小型化に寄与できる。
【００３７】
（変更例）
なお、この実施形態は、次のように変更して具体化することも可能である。
・緩み止め機能を有する雌ネジ部材２３として、前記実施形態とは異なる構成を採用すること。例えば、雌ネジ部材２３のネジの部分に緩み止め用の合成樹脂を塗布したり、保持室２２の内面に押圧される合成樹脂製または金属製の座金を設けたり、雌ネジ部材２３のネジの部分に緩み止め用の板バネを設けたりすること。
【００３８】
・回転体として、ボール２９に代えて円筒状のローラにすること。
・太陽電池パネル３５を省略すること。
【符号の説明】
【００３９】
１１…美容器、１２…ハンドル、１３…ベース体、１３ａ…透孔、１４…第１ハンドル片、１４ａ…透孔、１４ｂ…凹部、１５…第２ハンドル片、２０…シャフトホルダ、２２…保持室、２２ａ…開放部、２３…雌ネジ部材、２４…シャフト、２４ａ…雄ネジ部、２５…弛み止め部材、２６…カラー、２７…軸受け部材、２９…ボール。
【図１】
2018089521.tif 000003
【図２】
2018089521.tif 000004
【図３】
2018089521.tif 000005
【図４】
2018089521.tif 000006
【図５】
2018089521.tif 000007
【図６】
2018089521.tif 000008
【図７】
2018089521.tif 000009
【図８】
2018089521.tif 000010